(57)【要約】【課題】天面板に連なる左右のフラップや前面板に連なる左右の小フラップの差し込み作業を容易にして、折上げ作業性を顕著に向上させた個装箱を提供する。【解決手段】天面板１ｐを折り曲げて蓋をするときに、天面板に連なる左右のフラップ１Ｑ，１Ｒが左右の内側面板１ｈ，１ｉと保持パット３との隙間Ｇ，Ｇに時間的に前後して差し込まれるように、左右のフラップ１Ｑ，１Ｒを互いに異なる形状とした個装箱１とする。そして、前面板１ｓを折り曲げながら、前面板に連なる左右の小フラップ１Ｔ，１Ｕを、左右の外側面板１ｆ，１ｇと前側面板１ｂの左右の折曲片との隙間Ｇ１，Ｇ１に差し込むとき、左右の小フラップ１Ｔ，１Ｕが時間的に前後して差し込まれるように、左右の小フラップ１Ｔ，１Ｕを互いに異なる形状とする。時間的に前後して左右のフラップや左右の小フラップを差し込むことで差し込み作業をし易くし、折上げ作業性を格段に向上させる。【選択図】図５
2009120207.tif 000002
【特許請求の範囲】
【請求項１】
梱包品本体を保持パットに保持させて収容する段ボール製の個装箱であって、その底面板に連なる前後の側面板を上向きに折り曲げて、前後の側面板に連なる左右の折曲片を内向きに折り曲げ、底面板に連なる左右の外側面板を上向きに折り曲げると共に、左右の外側面板に連なる左右の内側面板を下向きに折り返して、左右の外側面板と左右の内側面板とで左右の折曲片を挟み込み、後側面板に連なる天面板を前向きに折り曲げながら、天面板に連なって下向きに折り曲げられた左右のフラップを、左右の内側面板と保持パットとの隙間に差し込んで折上げられる個装箱であり、
天面板を折り曲げるときに天面板に連なる左右のフラップが左右の内側面板と保持パットとの隙間に時間的に前後して差し込まれるように、左右のフラップを互いに異なる形状としたことを特徴とする個装箱。
【請求項２】
天面板に連なる左右のフラップの後端辺の傾斜角（天面板の左右の側辺に対する傾斜角）を、左フラップと右フラップとで異ならせたことを特徴とする請求項１に記載の個装箱。
【請求項３】
天面板に連なる左右のフラップの長さ寸法を、左フラップと右フラップとで異ならせ、長さ寸法の小さい方のフラップを天面板の後端から間隔をあけて天面板の側端に連設したことを特徴とする請求項１に記載の個装箱。
【請求項４】
天面板に連なる前面板と、前面板に連なる左右の小フラップを更に備えた請求項１ないし請求項３のいずれかに記載の個装箱であって、前面板を下向きに折り曲げながら、前面板に連なって後向きに折り曲げられた左右の小フラップを左右の外側面板と前側面板の左右の折曲片との隙間に差し込むときに、左右の小フラップが上記隙間に時間的に前後して差し込まれるように、左右の小フラップを互いに異なる形状としたことを特徴とする請求項１ないし請求項３のいずれかに記載の個装箱。
【発明の詳細な説明】
【技術分野】
【０００１】
本発明は、梱包品本体を保持パットに保持させて収容する段ボール製の個装箱に関し、特に、折上げ作業性（組立作業性）を顕著に向上させた個装箱に関する。
【背景技術】
【０００２】
ＰＮＤ（ポータブルナビゲーションデバイス）などの梱包品の本体と付属品を収容する従来の個装箱として、図１２に示すような段ボール製の個装箱１００が知られている。
【０００３】
この個装箱１００は、図１３に示す展開図の段ボール１０１を使用し、図１４に示すように、その底面板１ａに連なる前後の側面板１ｂ，１ｃを上向きに折り曲げて、該側面板１ｂ，１ｃに連なる左右の折曲片１ｄ，１ｄ，１ｅ，１ｅを内向きに折り曲げ、更に、図１５に示すように、底面板１ａに連なる左右の外側面板１ｆ，１ｇを上向きに折り曲げると共に、該外側面板１ｆ，１ｇに連なる左右の内側面板１ｈ，１ｉを下向きに折り返して、左右の外側面板１ｆ，１ｇと左右の内側面板１ｈ，１ｉとで上記折曲片１ｄ，１ｄ，１ｅ，１ｅを挟み込むことにより、天面板１ｐが開いた箱体を形成したものである。そして、この箱体の下部空間に梱包品の付属品（不図示）を収容して、その上に図１２に示すような仕切りパット２を設け、この仕切りパット２の上に梱包品本体（不図示）を保持する図１２に示すような保持パット３を載置して、後側面板１ｃに連なる天面板１ｐを前向きに折り曲げながら、図１６に示すように天面板１ｐに連なって下向きに折り曲げられた左右のフラップ１ｑ，１ｒを、左右の内側面板１ｈ，１ｉと保持パット３との隙間に差し込んで天面板１ｐで蓋をし、更に、図１７に示すように、天面板１ｐに連なる前面板１ｓを下向きに折り曲げながら、前面板１ｓに連なって後向きに折り曲げられた左右の小フラップ１ｔ，１ｕを、左右の外側面板１ｆ，１ｇと前側面板１ｂの左右の折曲片１ｄ，１ｄとの隙間に差し込んで、天面部１ｐが開かないようにしたものである。尚、図１３において、１ｍ，１ｎは、下向きに折り返した内側面板１ｈ，１ｉの下端の突出部１ｊ，１ｋを嵌め込んで内側面板１ｈ，１ｉを固定するためのスリットである。
【０００４】
一方、フラップ蓋を延長に有する前後壁と交差方向に形成される両側壁の両端に前記前後壁と同高の内側折返し袖部を設け、またその両側壁の延長に幅狭の内側折返し部を設けると共にその折返し付近部に差込み孔を設け、前記フラップ蓋の両端中間部に前記差込み孔に差込む前記両側壁と同高の差込み舌片を設けた段ボール折箱が知られている（特許文献１）。
【０００５】
また、側面の開放側を折り曲げて組み立てる折り畳み組立段ボール箱であって、その底面及び蓋面若しくはいずれか一方の面が、両側面と折れ目線で折り曲げて互いにその先端が近づくように、内側フラップと外側フラップを重ねて構成する段ボール箱において、相対する両外側フラップの先端側両端部に突出させた係合片を形成し、該外側フラップと重なる内側フラップの折り曲げ線近くには、外側フラップに形成した係合片を折り曲げて挿入して係止するような嵌挿穴を形成して両外側フラップを確実に内側フラップに係合させるように構成した段ボール箱も知られている（特許文献２）。
【０００６】
そして、プリント基板の左右の部品が実装されていない部位が受け部の上に載り、蓋体の左右の押圧板部でプリント基板の左右の部位を上から押さえるようにした梱包用箱（特許文献３）や、蓋の両端縁に折込片を連設すると共に、蓋の先端部に連なる外側壁の両端縁にも差込片を連設した包装箱（特許文献４）も知られている。
【特許文献１】特開平１０−１５７７２４号公報
【特許文献２】実用新案登録第３０５２１３４号公報
【特許文献３】特開２００１−２５３４３０号公報
【特許文献４】実公平４−１５６２１号公報
【発明の開示】
【発明が解決しようとする課題】
【０００７】
しかしながら、上述した従来の個装箱１００は、天面板１ｐに連なる左右のフラップ１ｑ，１ｒの形状が左右対称の同じ二等辺台形（コーナー部にアールを設けた二等辺台形）であるため、図１８に示すように、天面板１ｐを前向きに折り曲げて蓋をするときに、左右のフラップ１ｑ，１ｒが保持パット３と左右の内側面板１ｈ，１ｉとの隙間に同時に差し込まれることになる。ところが、保持パット３の左右の角筒状に折り曲げられた角筒部３ａ，３ａと個装箱１００の左右の内側面板１ｈ，１ｉは実質的に接触して隙間が殆どないため、保持パット３の左右の角筒部３ａ，３ａを手で同時に内側へ寄せながら、左右の内側面板１ｈ，１ｉとの隙間を拡げて左右のフラップ１ｑ，１ｒを同時に差し込まなければならず、このフラップ１ｑ，１ｒの同時の差し込み作業がし辛いため、折上げ作業性（組立作業性）が悪いという問題があった。
【０００８】
また、前面板１ｓに連なる左右の小フラップ１ｔ，１ｕも、左右対称の同じ形状であるため、前面板１ｓを下向きに折り曲げる際に、左右の小フラップ１ｔ，１ｕも左右の外側面板１ｆ，１ｇと折曲片１ｄ，１ｄとの隙間に同時に差し込まれることになり、上記と同様に作業性が悪いという問題があった。
【０００９】
一方、前記特許文献１〜４の段ボール箱等は、いずれも、上記のフラップ１ｑ，１ｒに相当する差込み舌片、係合片、押圧板部、折込片が左右対称の同じ形状であり、また、上記の小フラップ１ｔ，１ｕに相当する特許文献４の差込片も左右対称の同じ形状であるため、これら特許文献１〜４の段ボール箱等の技術を従来の個装箱１００に適用しても、上記の問題を解決することはできない。
【００１０】
本発明は上記事情の下になされたもので、その解決しようとする課題は、天面板に連なる左右のフラップの差し込み作業や前面板に連なる左右の小フラップの差し込み作業を容易にして、折上げ作業性（組立作業性）を顕著に向上させた個装箱を提供することにある。
【課題を解決するための手段】
【００１１】
上記課題を解決するため、本発明に係る個装箱は、梱包品本体を保持パットに保持させて収容する段ボール製の個装箱であって、その底面板に連なる前後の側面板を上向きに折り曲げて、前後の側面板に連なる左右の折曲片を内向きに折り曲げ、底面板に連なる左右の外側面板を上向きに折り曲げると共に、左右の外側面板に連なる左右の内側面板を下向きに折り返して、左右の外側面板と左右の内側面板とで左右の折曲片を挟み込み、後側面板に連なる天面板を前向きに折り曲げながら、天面板に連なって下向きに折り曲げられた左右のフラップを、左右の内側面板と保持パットとの隙間に差し込んで折上げられる個装箱であり、天面板を折り曲げるときに天面板に連なる左右のフラップが左右の内側面板と保持パットとの隙間に時間的に前後して差し込まれるように、左右のフラップを互いに異なる形状としたことを特徴とするものである。
【００１２】
本発明の個装箱においては、天面板に連なる左右のフラップの後端辺の傾斜角（天面板の左右の側辺に対する傾斜角）を、左フラップと右フラップとで異ならせることが好ましい。また、天面板に連なる左右のフラップの長さ寸法を、左フラップと右フラップとで異ならせ、長さ寸法の小さい方のフラップを天面板の後端から間隔をあけて天面板の側端に連設することも好ましい。
【００１３】
また、天面板に連なる前面板と、前面板に連なる左右の小フラップを更に備えた上記の個装箱であって、前面板を下向きに折り曲げながら、前面板に連なって後向きに折り曲げられた左右の小フラップを左右の外側面板と前側面板の左右の折曲片との隙間に差し込むときに、左右の小フラップが上記隙間に時間的に前後して差し込まれるように、左右の小フラップを互いに異なる形状とすることも好ましい。
【発明の効果】
【００１４】
本発明に係る個装箱のように、天面板を折り曲げるときに、天面板に連なる左右のフラップが左右の内側面板と保持パットとの隙間に時間的に前後して差し込まれるように左右のフラップを互いに異なる形状にしてあると、天面板を折り曲げて蓋をするときに、先にフラップが差し込まれる方の保持パットと内側面板との隙間を手で拡げて一方のフラップを差し込み、次いで、後からフラップが差し込まれる方の保持パットと内側面板との隙間を手で拡げて他方のフラップを差し込むことができるので、左右のフラップを同時に差し込む従来の個装箱に比べると、フラップの差し込み作業が遥かにし易くなり、折上げ作業性（組立作業性）が格段に向上する。
【００１５】
形状が異なるフラップの代表例は、左右のフラップの後端辺の傾斜角（天面板の左右の側辺に対する傾斜角）を左フラップと右フラップとで異ならせたものであり、この場合は、天面板を前向きに折り曲げて蓋をするときに、後述するように、後端辺の傾斜角が大きい方のフラップが先に保持パットと内側面板との隙間に差し込まれ、後端辺の傾斜角が小さい方のフラップが後から隙間に差し込まれることなる。
【００１６】
また、形状が異なるフラップの他の例は、左右のフラップの長さ寸法を左フラップと右フラップとで異ならせ、長さ寸法の小さい方のフラップを天面板の後端から間隔をあけて天面板の側端に連設したものであり、この場合は、天面板を前向きに折り曲げて蓋をするときに、後述するように、長さ寸法の大きい方のフラップが先に保持パットと内側面板との隙間に差し込まれ、長さ寸法の小さい方のフラップが後から隙間に差し込まれることになる。
【００１７】
更に、天面板に連なる前面板を下向きに折り曲げながら、前面板に連なって後向きに折り曲げられた左右の小フラップを左右の外側面板と前側面板の左右の折曲片との隙間に差し込むときに、左右の小フラップが該隙間に時間的に前後して差し込まれるように、左右の小フラップを互いに異なる形状とした個装箱は、上記と同様に、前面板に連なる左右の小フラップの差し込み作業もし易くなるため、折上げ作業性（組立作業性）が一層向上することになる。
【発明を実施するための最良の形態】
【００１８】
以下、図面を参照して本発明の具体的な実施形態を詳述する。
【００１９】
図１は本発明の一実施形態に係る個装箱とその内部に収容される仕切りパット及び保持パットを示す分解斜視図、図２は同個装箱の展開図、図３〜図５は同個装箱の折上げ手順（組立手順）を途中まで説明する斜視図、図６〜図９は同個装箱のその後の折上げ手順（組立手順）を最後まで説明する右側面図である。
【００２０】
この段ボール製の個装箱１は、下部空間にＰＮＤなどの梱包品の付属品（不図示）を収容し、その上に図１に示すような仕切りパット２を設けると共に、この仕切りパット２の上にＰＮＤ本体などの梱包品本体（不図示）を保持する保持パット３を載置し、天面板１ｐで蓋をすることによって、梱包品を収容、梱包するものであり、図２に示すような展開図の段ボール１０を折上げて製作されるものである。
【００２１】
この図１に示す個装箱１及びこれを展開した図２に示す段ボール１０は、図１２に示す従来の個装箱１００及びこれを展開した図１３に示す段ボール１０１と、フラップ及び小フラップに関する構成が異なるのみであり、それ以外は同様に構成されている。
【００２２】
即ち、従来の個装箱１００及びこれを展開した段ボール１０１では、天面板１ｐに連なる左右のフラップ１ｑ，１ｒが左右対称の同じ二等辺台形（コーナー部にアールを設けた二等辺台形）であるのに対し、この実施形態の個装箱１及びこれを展開した段ボール１０は、天面板１ｐに連なる左右のフラップ１Ｑ，１Ｒの形状が異なっており、後述するように天面板１ｐを前向きに折り曲げて蓋をするときに、左右のフラップ１Ｑ，１Ｒが時間的に前後して、保持パット３の左右の角筒部３ａ，３ａと個装箱１の左右の内側面板１ｈ，１ｉとの隙間Ｇ，Ｇ（図５参照）に差し込まれるようになっている。
【００２３】
更に詳しく説明すると、左フラップ１Ｑの形状は、従来の左フラップ１ｑと同様の二等辺台形（コーナー部にアールを設けた二等辺台形）であるが、右フラップ１Ｒは、その後端辺１ｗ（後側面板１ｃ側の端辺）の傾斜角θ２（天面板１ｐの右側辺に対する傾斜角）が左フラップ１Ｑの後端辺１ｖの傾斜角θ１より小さい不等辺台形（コーナー部にアールを設けた不等辺台形）とされている。
【００２４】
また、従来の個装箱１００では、前板部１ｓに連なる左右の小フラップ１ｔ，１ｕも左右対称の同じ略扇形であるが、この実施形態の個装箱１は、前板部１ｓに連なる左右の小フラップ１Ｔ，１Ｕも同じ形状ではなく、左の小フラップ１Ｔが右の小フラップ１Ｕの頂角θ４よりも大きい頂角θ３を有する広い略扇形、右の小フラップ１Ｕが左の小フラップ１Ｔの頂角θ３よりも小さい頂角θ４を有する狭い略扇形とされており、後述するように前板部１ｓを下向きに折り曲げるときに、左右の小フラップ１Ｔ，１Ｕが時間的に前後して、左右の外側面板１ｆ，１ｇと左右の折曲片１ｄ，１ｄとの隙間に差し込まれるようになっている。
【００２５】
このような個装箱１は、図２に示す展開図の段ボール１０から、従来の個装箱１００と実質的に同様の手順で折上げて製作される。即ち、図３に示すように、方形の底面板１ａに連なる前後の側面板１ｂ，１ｃを上向きに９０°折り曲げ、この側面板１ｂ，１ｃに連なる左右の折曲片１ｄ，１ｄ，１ｅ，１ｅをそれぞれ内向きに９０°折り曲げる。そして、底面板１ａに連なる左右の外側面板１ｆ，１ｇを上向きに９０°折り曲げると共に、これらの外側面板１ｆ，１ｇに連なる左右の内側面板１ｈ，１ｉを下向きに１８０°折り返し、左右の外側面板１ｆ，１ｇと左右の内側面板１ｈ，１ｉとで上記折曲片１ｄ，１ｄ，１ｅ，１ｅを挟んだまま、内側面板１ｈ，１ｉの下端の突出部１ｊ，１ｋを底面板１ａの両側端に形成されたスリット１ｍ，１ｎに嵌め込んで左右の内側面板１ｈ，１ｉを固定することにより、図１，図４に示すような天面板１ｐが開いた状態の箱体を折上げる。
【００２６】
次いで、箱体の下部空間に梱包品の付属品（不図示）を収容して、その上に図１に示すような仕切りパット２を設け、この仕切りパット２の上に梱包品本体（不図示）を保持する図１に示すような保持パット３を載置して、図５に示すように保持パット３と梱包品本体（不図示）を箱体の上部空間に収容する。そして、後側面板１ｃに連なる天面板１ｐを前向きに折り曲げながら、この天面板１ｐに連なって下向きに折り曲げられた左右のフラップ１Ｑ，１Ｒを、左右の内側面板１ｈ，１ｉと保持パット３の左右の角筒部３ａ，３ａの隙間Ｇ，Ｇに差し込んで天面板１ｐで蓋をする。
【００２７】
上記のように天面板１ｐを前向きに折り曲げて蓋をするとき、図６に示すように、天面板１ｐの折り曲げ角度が左フラップ１Ｑの後端辺の傾斜角θ１を越えたところで、左フラップ１Ｑが左側の隙間Ｇに差し込まれることになるが、後端辺の傾斜角θ２が左フラップ１Ｑの傾斜角θ１より小さい右フラップ１Ｒは、まだ右側の隙間Ｇに差し込まれない。そして、図７に示すように、天面板１ｐの折り曲げ角度が右フラップ１Ｒの傾斜角θ２を越えたところで、右フラップ１Ｒも右側の隙間Ｇに差し込まれることになる。従って、保持パット３の左側の角筒部３ａを手で内側へ寄せて、先に差し込まれる左側の隙間Ｇを拡げ、この左側の隙間Ｇに左フラップ１Ｑを差し込んだ後、保持パット３の右側の角筒部３ａを手で内側へ寄せて、後から差し込まれる右側の隙間Ｇを拡げ、この右側の隙間Ｇに右フラップ１Ｒを差し込むことができるので、従来のように左右のフラップ１ｑ，１ｒを同時に差し込む場合に比べると、フラップ１Ｑ，１Ｒの差し込み作業が遥かに容易になる。また、傾斜角θ１，θ２を調節すれば、フラップ１Ｑ，１Ｒが隙間Ｇ，Ｇに差し込まれるタイミングを自由に変更することも可能である。
【００２８】
天面板１ｐで蓋をする作業が終わると、図８，図９に示すように、前面板１ｓを下方へ折り曲げながら、前面板１ｓに連なって後向きに折り曲げられた左右の小フラップ１Ｔ，１Ｕを、左右の外側面板１ｆ，１ｇと前側面板１ｂの左右の折曲片１ｄ，１ｄとの隙間Ｇ１，Ｇ１（図５参照）に差し込み、天面板１ｐや前面板１Ｓが開かないように固定する。このときも、左の大きい頂角θ３を有する広い略扇形の小フラップ１Ｔが先に隙間Ｇ１に差し込まれ、右の小さい頂角θ４を有する狭い略扇形の小フラップ１Ｕが後から隙間Ｇ１に差し込まれるので、従来のように左右の小フラップ１ｔ，１ｕを同時に差し込む場合に比べると、フラップ１Ｔ，１Ｕの差し込み作業が遥かに容易になる。
【００２９】
以上のように、この個装箱１は、天面板１ｐに連なる左右のフラップ１Ｑ，１Ｒの差し込み作業、及び、前面板１ｓに連なる左右の小フラップ１Ｔ，１Ｕの差し込み作業がし易いため、折上げ作業性（組立作業性）が格段に向上するといった顕著な効果が奏される。
【００３０】
尚、上記実施形態の個装箱１では、左フラップ１Ｑを後端辺の傾斜角θ１が大きい二等辺台形とし、右フラップ１Ｒを後端辺の傾斜角θ２が小さい不等辺台形としているが、逆に、左フラップ１Ｑを不等辺台形とし、右フラップ１Ｒを二等辺台形としてもよい。また、上記実施形態の個装箱１では、左の小フラップ１Ｔを頂角θ３が大きい広い略扇形とし、右の小フラップ１Ｕを頂角θ４が小さい狭い略扇形としているが、逆に、左の小フラップ１Ｔを狭い略扇形とし、右の小フラップ１Ｕを広い略扇形としてもよい。
【００３１】
天面板１ｐに連なる左右のフラップ１Ｑ，１Ｒの形状は、前記のような二等辺台形と不等辺台形に限定されるものではなく、天面板１ｐを折り曲げて蓋をするときに、時間的に前後して前記の隙間Ｇ，Ｇに差し込まれる形状であれば、どのような形状でもよい。同様に、前面板１ｓに連なる左右の小フラップ１Ｔ，１Ｕも、前記のような広い略扇形と狭い略扇形に限定されるものではなく、前面板１ｓを折り曲げるときに、時間的に前後して前記の隙間Ｇ１，Ｇ１に差し込まれる形状であれば、どのような形状でもよい。
【００３２】
図１０，図１１は、天面板１ｐに連なる左右のフラップ１Ｑ，１Ｒの形状が前記実施形態のものと異なる個装箱１を示したもので、天面板１ｐに連なる左フラップ１Ｑが長さ寸法Ｌ１の大きい二等辺台形とされ、右フラップ１Ｒが長さ寸法Ｌ２の小さい二等辺台形とされている。そして、長さ寸法Ｌ２の小さい右フラップ１Ｒは、天面板１ｐの後端から一定の間隔をあけて天面板１ｐの側端に連設されている。その他の構成は、前記実施形態の個装箱と同様であるので、図１０，図１１において、対応する部分に対応する符号を付して説明を省略する。
【００３３】
このような個装箱１は、天面板１ｐを前向きに折り曲げて蓋をするときに、図１１に示すように、大きい長さ寸法Ｌ１を有する左フラップ１Ｑが先に前記の左側の隙間Ｇに差し込まれ、小さい長さ寸法Ｌ２を有する右フラップ１Ｒが後から前記の右側の隙間Ｇに差し込まれるので、左右のフラップ１Ｑ，１Ｒの差し込み作業がし易くなり、折上げ作業性（組立作業性）が格段に向上する。そして、短い方のフラップ１Ｒの長さ寸法Ｌ２を調節して天面板１ｐの後端からフラップ１Ｒまでの間隔を変えれば、フラップ１Ｒが隙間Ｇ，Ｇに差し込まれるタイミングを自由に変更することも可能である。
【図面の簡単な説明】
【００３４】
【図１】本発明の一実施形態に係る個装箱とその内部に収容される仕切りパット及び保持パットを示す分解斜視図である。
【図２】同個装箱の展開図である。
【図３】同個装箱の折上げ手順（組立手順）を説明する斜視図である。
【図４】同個装箱の折上げ手順（組立手順）を説明する斜視図である。
【図５】同個装箱の折上げ手順（組立手順）を説明する斜視図である。
【図６】同個装箱の折上げ手順（組立手順）を説明する右側面図である。
【図７】同個装箱の折上げ手順（組立手順）を説明する右側面図である。
【図８】同個装箱の折上げ手順（組立手順）を説明する右側面図である。
【図９】同個装箱の折上げ手順（組立手順）を説明する右側面図である。
【図１０】本発明の他の実施形態に係る個装箱を示す斜視図である。
【図１１】同個装箱の右側面図である。
【図１２】従来の個装箱とその内部に収容される仕切りパット及び保持パットを示す分解斜視図である。
【図１３】従来の個装箱の展開図である。
【図１４】従来の個装箱の折上げ手順を説明する斜視図である。
【図１５】従来の個装箱の折上げ手順を説明する斜視図である。
【図１６】従来の個装箱の折上げ手順を説明する斜視図である。
【図１７】従来の個装箱の折上げ手順を説明する斜視図である。
【図１８】従来の個装箱の問題点を説明する斜視図である。
【符号の説明】
【００３５】
１    個装箱
１ａ  底面板
１ｂ，１ｃ  前後の側面板
１ｄ，１ｅ  折曲片
１ｆ，１ｇ  左右の外側面板
１ｈ，１ｉ  左右の内側面板
１ｐ  天面板
１Ｑ，１Ｒ  左右のフラップ
１ｓ  前面板
１Ｔ，１Ｕ  左右の小フラップ
１ｖ，１ｗ  左右のフラップの後端辺
θ１，θ２  後端辺の傾斜角
θ３，θ４  小フラップの頂角
Ｌ１，Ｌ２  左右のフラップの長さ寸法
２    仕切りパット
３    保持パット
３ａ  保持パットの左右の角筒部
【図１】
2009120207.tif 000003
【図２】
2009120207.tif 000004
【図３】
2009120207.tif 000005
【図４】
2009120207.tif 000006
【図５】
2009120207.tif 000007
【図６】
2009120207.tif 000008
【図７】
2009120207.tif 000009
【図８】
2009120207.tif 000010
【図９】
2009120207.tif 000011
【図１０】
2009120207.tif 000012
【図１１】
2009120207.tif 000013
【図１２】
2009120207.tif 000014
【図１３】
2009120207.tif 000015
【図１４】
2009120207.tif 000016
【図１５】
2009120207.tif 000017
【図１６】
2009120207.tif 000018
【図１７】
2009120207.tif 000019
【図１８】
2009120207.tif 000020